(57)【要約】      （修正有）【課題】手元供養に適した納骨機能を備えた台付きの仏壇を提供する。【解決手段】開閉可能な扉を備えた仏壇１Ａと、仏壇が一体構造に載置される同じく開閉可能な扉を備えた仏壇台１Ｂとを備えてなる台付き型の仏壇１であって、仏壇内を隔壁８を介して２段に仕切り、上段側に祭壇部、下段側に第１の納骨壇部を設ける一方、仏壇台内に第２の納骨壇部を設け、仏壇本来の祭壇機能と手元供養を可能とする納骨機能とを両立させた。【選択図】図２
0003226722.tif 000002
【実用新案登録請求の範囲】
【請求項１】
開閉可能な扉を備えた仏壇と、該仏壇が一体構造に載置される同じく開閉可能な扉を備えた仏壇台とを備えてなる台付き型の仏壇であって、上記仏壇内を隔壁を介して少なくとも２段に仕切り、上段側に祭壇部、下段側に第１の納骨壇部を設ける一方、上記仏壇台内に第２の納骨壇部を設け、仏壇本来の祭壇機能と手元供養を可能とする納骨機能とを両立させてなる台付き型の仏壇。
【請求項２】
第１、第２の納骨壇部前面には、それぞれ片開き構造の納骨壇専用の扉が設けられている請求項１記載の台付き型の仏壇。
【請求項３】
片開き構造の納骨壇専用の扉中央には、指を挿入することができる開閉操作用の穴が設けられている請求項１または２記載の台付き型の仏壇。
【考案の詳細な説明】
【技術分野】
【０００１】
本願考案は、祭壇機能と納骨壇機能を両立させた台付き型の仏壇の構成に関するものである。
【背景技術】
【０００２】
最近では故人に対する供養の形態も大きく変化してきており、従来一般的な葬送方法とされてきた墓や寺院への納骨の代りに、遺骨を自宅に保管し、慰霊の場を身近において故人を偲ぶという手元供養（自宅供養）の形態が普及しつつある。このような供養形態の場合、墓が不要で、永代供養などの経費も節約することができる。
【０００３】
手元供養の形態には種々のものがあるが、基本的なものは骨壷、骨箱等の納骨容器に入れた遺骨を仏壇内に収納して保管する形態である。従来、このような目的に使用される仏壇として、納骨仏壇と称される納骨機能を備えた仏壇が提案されている（たとえば、特許文献１を参照）。
【０００４】
この仏壇は、納骨室を備えた納骨壇および納骨壇の上部に置かれる祭壇（上置仏壇）よりなり、納骨壇を仏壇台として祭壇（上置仏壇）が設置されるようになっている。納骨壇の納骨室開口部左右には、観音開き構造の扉が設けられていて、納骨室に骨壷（納骨容器）を収納した後、同観音開き構造の扉を閉めることができるようになっている。納骨壇内の納骨室の寸法は、祭壇の外径寸法よりも大きく形成されており、納骨室に骨壷（納骨容器）を収納しない場合には、納骨室内に祭壇を収納して、観音開き構造の扉を備えた単一のコンパクトな上置型の仏壇を形成するようにしている。
【０００５】
このような構成による場合、納骨壇（仏壇台）の利用の仕方次第で、通常の仏壇機能に加えて、必要に応じて納骨機能を備えた仏壇を構成することが可能となる。また、納骨室内に骨壷も祭壇も収納しない仏壇台としての利用の場合には、納骨室内に遺品や必要な仏具を収納して置くことができる。
【先行技術文献】
【特許文献】
【０００６】
【特許文献１】実用新案登録第３１９９９６４号公報
【考案の概要】
【考案が解決しようとする課題】
【０００７】
しかし、上記特許文献１の構成の場合、単に仏壇台内の空間を納骨空間に利用しただけのものであり、しかも同空間は上部に載せられる祭壇（上置佛壇）をも収納する構成となっていて、とても納骨壇と言えるような構成のものではない。また、同仏壇台前面側の開口部には頻繁に開け閉めされる観音開き構造の扉が一枚あるだけであり、納骨壇部分に本来求められる静謐さや厳粛さを全く実現できていない。
【０００８】
このように、現在の台付き型仏壇の殆どのものは祭壇機能を中心として構成されており、祭壇機能を犠牲にすることなく、祭壇部の祭壇機能と調和する形で存在感のある納骨壇部の納骨機能をコンビネーションした手元供養に適した未来指向の台付き型の仏壇は見出せないのが実情である。このような事情は、家具調仏壇のような小型仏壇の場合ほど顕著である。
【０００９】
この出願の発明は、このような事情に基づいてなされたもので、祭壇機能と納骨壇機能の両立を図り、祭壇機能と納骨壇機能が調和する形で手元供養を可能とし、寺院や墓への納骨を不要とした台付き型の仏壇を提供することを目的とするものである。
【課題を解決するための手段】
【００１０】
この出願の考案は、上述の課題を解決するために、次のような課題解決手段を備えて構成されている。
（１）請求項1の考案の課題解決手段
請求項1の考案の課題解決手段は、開閉可能な扉を備えた仏壇と、該仏壇が一体構造に載置される同じく開閉可能な扉を備えた仏壇台とを備えてなる台付き型の仏壇であって、上記仏壇内を隔壁を介して少なくとも２段に仕切り、上段側に祭壇部、下段側に第１の納骨壇部を設ける一方、上記仏壇台内に第２の納骨壇部を設け、仏壇本来の祭壇機能と手元供養を可能とする納骨壇機能とを両立させたことを特徴としている。
【００１１】
このような構成によると、開閉可能な扉を備えた仏壇と、該仏壇が載置される同じく開閉可能な扉を備えた仏壇台とを備えてなる台付き型の仏壇において、上記仏壇内の上段側に祭壇部、下段側に第１の納骨壇部が形成され、さらに上記仏壇台内に第２の納骨壇部が形成されることになり、仏壇本来の祭壇機能と手元供養を可能とする納骨壇機能とを仏壇と仏壇台の両者を利用して両立させることができる。
【００１２】
したがって、このような台付きの仏壇があれば、これまでのように寺院や墓に納骨することなく、自宅で納骨壇部分に遺骨を保管し、日々永代的に供養することができるようになる。また、従来のような墓が不要となり、永代供養に必要な経費も節約することができる。そして、遺族に対して、亡くなった後も故人と何時も一緒に居られるという安心感、暖かさを与えることができる。
【００１３】
しかも、同構成の場合、上部に位置する仏壇部分と下部に位置する仏壇台部分との２つの部分を利用して複数の納骨壇を形成しているので、横方向に幅を広くして複数組の納骨を可能とする構成の場合に比べて場所を取らず、仏壇及び仏壇台の全体をスリムに構成することができる。したがって、家具調仏壇のような小型、コンパクトな台付き仏壇に適した構造のものとなる。
【００１４】
（２）請求項２の考案の課題解決手段
請求項２の考案の課題解決手段は、上記請求項１の考案の課題解決手段において、第１、第２の納骨壇部前面には、それぞれ片開き構造の納骨壇専用の扉が設けられていることを特徴としている。
【００１５】
本来納骨壇部は、祭壇部と異なって頻繁に開け閉めするところではなく、基本的に静謐で、厳粛に保持される場所である。そのため、頻繁に開け閉めされ、また開放状態に維持されることが多い観音開き構造の扉とは別に静謐さを感じさせる専用の扉を設けることが望まれる。また、同扉は、どちらかというと扉に見えない位の方が望ましい。
【００１６】
そこで、上記第１、第２の納骨壇部前面には、それぞれ片開き構造の納骨壇専用の扉を設けている。片開き構造の扉の場合、両開き構造の扉に比べて、一面の大きく、広い閉面状態に形成しやすく、静謐さを実現しやすい利点がある。また、扉に見えない構成にもしやすい。また、一枚板の片開き構造の扉の場合、奥行き方向の寸法の制約も受けにくい。したがって、小型、コンパクトな台付き家具調仏壇の場合に適したものとなる。
【００１７】
さらに、片開き構造の扉の場合、両開き構造の扉に比べて、開口部を大きく開くことができ、大きな骨箱や骨壺の場合でも出し入れが容易である。また、観音開き構造の扉のように両手を使わずに１回の開閉操作で開閉することができる。
【００１８】
（３）請求項３の考案の課題解決手段
請求項３の考案の課題解決手段は、上記請求項１又は２の考案の課題解決手段において、片開き構造の納骨壇専用の扉中央には、指を挿入することができる開閉操作用の穴が設けられていることを特徴としている。
【００１９】
このような構成によると、広い閉面を形成している片開き構造の扉中央に指を挿入することができる開閉操作用の穴があるだけであり、同穴は一見しただけでは指を入れる開閉操作用の穴とは判断しにくい。したがって、上記片開き構造の扉が、外観上、より扉感の薄い扉となり、同開閉操作用の穴は第１、第２の納骨壇部の静謐性を実現するのに適した操作部となる。
【００２０】
また、取っ手を設けた場合のように、取っ手が仏壇前面側の扉、仏壇台前面側の扉と干渉することもなく、開口部を十分に広く開放することができる。
【考案の効果】
【００２１】
以上の結果、この出願の考案によると、従来の課題を解決し、手元供養（家祀り）に適し、祭壇部および納骨壇部が相互に調和、両立した格調のある台付き型の仏壇を安価に提供することが可能となる。
【図面の簡単な説明】
【００２２】
【図１】この出願の考案の実施の形態に係る台付き型の仏壇の筐体側観音開き構造の扉閉状態における全体の構成を示す正面図である。
【図２】同仏壇の筐体側観音開き構造の扉開状態（仮想線図示）における全体の構成を示す正面図である。
【図３】図１のＡ−Ａ断面図である。
【図４】図２のＢ−Ｂ断面図である。
【図５】図４のＣ−Ｃ断面図である。
【図６】図３の後端部における装飾部材の構成を示す拡大断面図である。
【図７】図３の装飾部材部分のより詳細な構成を示す拡大斜視図である。
【図８】図２のＤ−Ｄ断面図である。
【図９】図２のＤ−Ｄ断面状態において、納骨壇部の扉を開いた時の構成を示す図である。
【図１０】図２のＥ−Ｅ断面図である。
【図１１】図２のＦ−Ｆ断面図である。
【図１２】同仏壇の上部側第１の納骨壇部分の扉閉状態における戒名札非取り付け状態の構成（外観）を示す拡大正面図である。
【図１３】同仏壇において使用される戒名札の構成を示す拡大斜視図である。
【図１４】同仏壇において使用される戒名札の構成を示す要部の分解斜視図である。
【考案を実施するための形態】
【００２３】
以下、本願考案の実施の形態に係る祭壇機能と納骨壇機能を両立させた台付き型の仏壇の構成および作用について、添付の図面を参照して詳細に説明する。以下に述べる実施の形態においては、対象となる台付き型の仏壇の一例として、家具調の現代型仏壇が採用されている。
【００２４】
図１〜図１４には、同本願考案の実施の形態に係る祭壇機能と納骨壇機能を両立させた台付き型仏壇の全体および各部の構成が示されている。
【００２５】
図１〜図５中、まず符号１が祭壇機能と納骨壇機能を両立させた本実施の形態に係る台付き型の仏壇であり、該台付き型の仏壇１は、上置構造の仏壇１Ａと同上置構造の仏壇１Ａを支持している仏壇台（下台）１Ｂとからなっている。上置構造の仏壇１Ａは、天板（本天板）２aおよび内天板２ｂ、底板３、左右両側板４，４、背板５によって、前面側が開放された基本となる仏壇匡体を構成しており、その内側は第１の隔壁８、第２の隔壁９により上下３段に仕切られ、上方側から下方にかけて、祭壇部、第１の納骨壇部（後に仏壇台１Ｂ側にも第２の納骨壇部が形成される。したがって、それと区別するために第１の納骨壇部と言うことにする）、引き出し部がそれぞれ設けられている。そして、同筐体の前面側左右には、それぞれ蝶番を介して相対回動自在に連結された一対の戸板６ａ，６ｂ、６ａ，６ｂよりなる第１の観音開き構造の扉６，６が開閉可能に取り付けられている。この第１の観音開き構造の扉６，６は、それぞれ蝶番７，７，７、７，７，７を介して両側の戸板６ａ，６ａの外端部分を上記側板４，４の内面部分に取り付けている。この扉６，６は、それぞれ図３の仮想線に示すように任意に開閉され、また同開放状態において２枚に折り畳まれ、筐体前面側を開放状態に維持するようになっている。
【００２６】
祭壇部（祭壇）には、上記上置構造の仏壇１Ａの左右両側板４，４に接する形で、その左右方向の厚さが前方側から後方側に欠けて次第に大きくなる断面直角三角形状の柱体１４，１４が設けられており、それによって（その遠近感を利用して）全体として実際の寸法以上に奥行き感のある祭壇空間が形成されている。また、背面側には仏壇本体１の背板５の前面側に重合される形で杢貼り構造の後背板（前カバー）５ａが設けられ、さらに同後背板５ａの前面側上下方向略中央部には、例えば図２〜図５に示すように、上記左右両側板４，４間に亘って所定上下幅の帯状の装飾部材１６が設けられている。
【００２７】
この装飾部材１６は、例えば図６、図７に拡大して示すように、相対的に厚さが薄い方形の第１のタイル部材１６ａと相対的に厚さが厚い方形の第２のタイル部材１６ｂを左右両方向に交互に貼り合わせて帯状に構成されており、全体として任意の間隔で連続する凹凸面構造を形成している。この場合、各凹凸面の高さは、それぞれ一定でもランダムでも構わない。第１、第２のタイル部材１６ａ，１６ｂ・・は、それぞれ例えば粘土鉱物などの微細な孔（ナノレベルの孔）を持つ原料を焼成して構成した方形の調湿パネルよりなり、多湿状態では湿気を吸収し、乾燥状態では湿気を放出する優れた調湿機能を備えている。そして、それにより祭壇内部を四季に関わらず安定した湿度に維持し、仏壇自体の耐久性を高めるようになっている。また、臭いや有害物質の吸着機能を備えており、蝋燭や線香からの一酸化炭素を吸収し、祭壇内の空気を清浄化する機能も有している。また、この装飾部材１６（第１、第２のタイル部材１６ａ，１６ｂ・・の各々）は、例えば全体がシルバー色等所定の色に着色され、その表面には、必要に応じて後述する第１、第２のＬＥＤ４１，４１および第３のＬＥＤ５１からの光照射時に浮き出る（ないし濃淡が現れる）所望の模様加工が施されている。
【００２８】
そして、これら後背板５ａおよび装飾部材１６前方の柱体１４，１４間下部側には、例えば図２〜図５に示すように、本尊台１５ａ，位牌棚１５ｂ，仏具棚１５ｃよりなる須弥檀１５が設けられている。柱体１４，１４の後端面と後背板５ａ両端面との間には、前後方向に所定の間隔のスペースが設けられており、同スペースの左右両側板４，４部分には、後背板５ａ、装飾部材１６、柱体１４，１４間後方空間部分を照らす第１、第２のＬＥＤ４１、４１が設けられている。また、内天板２ｂの中央部には、本尊台１５ａ上の本尊、須弥檀１５、左右両側の柱体１４，１４前面、装飾部材１６、後背板５ａを照らす第３のＬＥＤ５１が設けられている。これにより、奥行き感のある祭壇部の内側全体が暖かな照明に包まれ、かつ銀色に輝く装飾部材１６の前に、燦然として金色に輝く本尊が存在することになり、コンパクトな中にもインパクトのある祭壇を実現することができる。また、この場合、仏具棚１５ｃ下部のスペースの広い第１の隔壁８の上面を、さらに茶湯器、仏飯器、花瓶、供え物等の飾棚として利用することができるようになる。
【００２９】
次に、第１の納骨壇部（第１の納骨壇）は、その匡体部上部を第１の隔壁８、左右両側部を上置構造の仏壇１Ａの左右両側板４，４、背面部を背板５、下部を第２の隔壁９により形成すると共に、前面側開口部の一側（正面右側）に後述する第１の扉２１オフセット（インセット）用の支柱１８を設け、同支柱１８の内側に蝶番２２，２２を介して、左側から右側に開く片開き構造の扉（一枚板構造の扉）２１を設けて構成されている。そして、その内側の若干横に長い直方体形状の空間を例えば骨箱２０Ａ（図５参照）を収納することができる納骨室に形成して構成されている。
【００３０】
上記一枚板構造の扉２１は、例えば図８および図９に示すように、背面側はフラットであるが、前面側は左右両側から中央部にかけて前方に突出した所定の曲率の緩やかな円弧面に形成されている。そして、それにより立体感を出し、また外観的に納骨室内をより広く感じさせるようにしている。
【００３１】
さらに、同第１の納骨壇部の前面側開口部の他側（正面左側）には、右側のものと略同様の支柱１８が設けられている。この支柱１８には、例えば図８〜図１０に示すように、その内側に、上記扉２１を閉じた時に上記扉２１の開放側端部（左側端部）２１aを嵌合係止する断面鉤状の戸当たり用段部１８aが形成されており、同段部１８aの上下方向中間部には、上記第１の扉２１の開放側端部２１aを吸着固定するためのマグネット２３ｂが埋設されている。上記第１の扉２１の開放側端部２１aの上下方向中間部には、同マグネット２３ｂに対応するマグネット２３aが埋設されている。これら相互に対向するマグネット２３a,２３ｂには、例えばネオジム磁石が採用されている。
【００３２】
このように、以上の構成では、上記第１の納骨壇部の左側部分にも右側の支柱１８と同様の支柱１８を設けており、しかも、それぞれその前面側露出面の幅は、略同一のものとしている。したがって、同構成の場合、第１の納骨壇部分を正面から見た場合に、例えば図２および図１１に示すように、第１の納骨壇部分（第１の扉２１の両側部分）の正面構造が左右対称の構造となり、安定感を抱かせる落ち着いたデザインのものとなる。また、上記左右の支柱１８,１８の前面部分は、それぞれ第１の扉２１の円弧面の傾斜角に沿って連続する傾斜面としており、第１の扉２１の前面と一体に連続する円弧面を形成している。したがって、第１の納骨壇部分に左側から右に開閉可能な第１の扉２１があることを感じさせない連続面の構成となり、第１の納骨壇部分がいわゆる納骨室には見えないようになる。
【００３３】
さらに、上記一枚板構造の第１の扉２１は、上記のように、正面右側の端部上下を蝶番２２，２２を介して上置構造の仏壇１Ａの右側の側板４前端部の内側に設けた所定幅の支柱１８の内側（左側面）に回動可能に取り付けており、それにより（支柱１８による所定幅のオフセット寸法により）、上置構造の仏壇１Ａの左右両側板４，４の内側に蝶番７，７，７を介して取り付けられた上置構造の仏壇１Ａ前面部右側の第１の観音開き構造の扉６（開状態）に干渉することなく、左側から右側に十分に広く開かれ（図８および図９を参照）、また右側から左側にスムーズに閉じられるようになっている。そして、その閉状態は、上記マグネット２３ａ，２３ｂ相互の開閉操作可能な所定の強さの吸着力により維持されるようになっている。
【００３４】
そして、この一枚板構造の第１の扉２１の前面側、例えば正面左側の上部には、戒名札取り付け部が設けられていて、同戒名札取り付け部には、戒名札取り付け用の上下一対のマグネット２４ａ，２４ａが外部からは見えないように埋設されている（図１０および図１２を参照）。そして、それにより、例えば図２および図１０に示すように、戒名札２５が着脱可能に取り付けられるようになっている。
【００３５】
この戒名札２５は、例えば図１３および図１４に示すように、上記取り付けられる扉２１の円弧面の傾斜角に対応して左側の厚さと右側の厚さが異なり、それらの間を同扉２１の左右両方向の円弧面（凸状の円弧面）の傾斜角に沿った傾斜角の逆円弧面（凹状の円弧面）に形成した扉２１と同様の木目を有した木製材料の本体部材（台部材）２５ｂと、見栄えの良いステンレス製の戒名板２５ｃと、上記本体部材２５ｂの正面側に形成された上下両端側が開口した所定の深さの戒名板嵌合溝２５ｄと、一端側を上記戒名板嵌合溝２５ｃ内に臨ませる一方、他端側を上記扉２１側戒名札取り付け部の上下一対のマグネット２４ａ，２４ａに対応するように裏面側に臨ませた上下一対のマグネット２５ａ，２５ａとからなり、上記戒名板嵌合溝２５ｄ内に上記ステンレス製の戒名板２５ｃを嵌合し、上記マグネット２５ａ，２５ａにより固定した構成のものとなっている。なお、図１２および図１３において、戒名板２５ｃの前面に□□□・・で表現されているのは戒名や日付を示す文字及び文字列である。図２中の戒名札２５の場合も同様である。この場合、上記マグネット２５ａ，２５ａは、上記本体部材（台部材）２５ｂの裏面側では、直接磁石面を露出させず、扉２１側のマグネット２４ａ，２４ａに対して有効な磁力を作用させ得る範囲で所定の板厚を残す形で臨まされている。上記マグネット２４ａ，２４ａ、２５ａ，２５ａも、上記マグネット２３ａ，２３ｂの場合と同様に、例えばネオジム磁石により構成されている。
【００３６】
このような構成の場合、上記戒名板嵌合溝２５ｄ内に上記ステンレス製の戒名板２５ｃを嵌合した扉２１と同様の木目模様を有する木製の本体部材（台部材）２５ｂをマグネット２５ａ，２５ａ、２４ａ，２４ａを利用して扉２１の戒名札取付部（マグネット２４ａ，２４ａ設置部）に固定すると、例えば図２および図１０に示すように、上記一枚板構造の扉２１の前面側（正面左側の上部）に戒名札２５を取り付けた状態を実現することができる。この場合、上記マグネット２５ａ，２５ａ、２４ａ，２４ａは、それぞれ上下に一対設けられているので、上記マグネット２５ａ，２５ａ、２４ａ，２４ａ相互の吸着力そのもので正確に上下の位置を揃えることができ、また本体部材２５ｂは、扉２１の円弧面の傾斜角に応じて左右の板厚を変えているので、取り付け後の戒名札２５をそれぞれ正確に正面に向いたものとすることができる。
【００３７】
この図１２および図１３の構成の戒名札２５は、例えば実際の製品では、オプション品として構成され、位牌などの場合と同様に、本体部材２５ｂを扉２１の木目模様と同様の美しい木目部材、戒名板２５ｃを見栄えの良いステンレス製の戒名板とし、同戒名板に故人の戒名、日付等を刻して別途販売するような形態が採用される。
【００３８】
当該第１の納骨壇部上部の上記仏壇部分の位牌棚１５ｂには、通常戒名を入れた位牌が設置される。したがって、仮に第１の納骨壇部の納骨室内に納骨をしているからと言って、必ずしも上記第１の扉２１部分に戒名札２５を取り付けなければならないというものでもない。したがって、戒名札２５を取り付けるかどうかは基本的に遺族（ユーザー）の任意である。しかし、この実施の形態の場合、以下に述べるように、仏壇台１Ｂ側にも第２の納骨壇部（納骨壇）が設けられるようになっており、上下２組の納骨壇部（納骨壇）を有して構成されることになる。そのため、それぞれ戒名札２５、２５を取り付けて区別しておきたいという希望もある。また、そこが特定の故人の納骨壇（納骨室）であることを明示したいというユーザーも存在する。
【００３９】
そこで、この実施の形態では、そのような各種の要望を共に実現するために、扉２１の正面左側の上部に、戒名札取り付け用の上下一対のマグネット２４ａ，２４ａを外部から見えないように埋設することによって、戒名札２５を取り付けない場合にも違和感なく対応できるようにしているとともに（図１２参照）、必要な時には任意に戒名札２５を取り付けることができるようにしている。
【００４０】
また、上記第１の扉２１の正面中央部より少し下方に下がった位置には、同第１の扉２１を開閉するための操作穴２６が設けられている。この操作穴２６は、例えば図８および図９に示すように、第１の扉２１の前面側に開口した指先を挿入するのに十分な直径の第１の穴２６ａと、その内側の板厚内において当該第１の穴２６ａの直径よりも大きく、かつ深く断面楕円形状に形成された第２の穴２６ｂとから形成されており、第１の穴２６ａから第２の穴２６ｂに指を挿入し、指先を第２の穴２６ｂに係合することによって、シンプルな構造でありながらも、容易に第１の扉２１を開閉操作することができるようにしている。
【００４１】
以上のような第１の扉２１の構成により、第１の納骨壇部の正面は、納骨室閉状態においては扉と感じさせない１枚板構造の重厚感のある第１の扉２１が祭壇部下部の底壁を構成する第１の隔壁８を支えた状態で、下部側第２の隔壁９側に大きな一体面（閉面）で連続するデザイン状態となり、見た者に第１の納骨檀部分に開閉可能な第１の扉２１があることを感じさせない非常にすっきりとした意匠状態となる。しかも、第１の扉２１の前面は、中央部の板厚が厚くて前方に突出している一方、左右両端側の板厚が薄くて後方に後退している緩やかな円弧面となっているので、立体感が高く、どっしりとした安定感を感じさせる。また、上記構成の場合、そのような扉構造に加え、同第１の扉２１を開閉する場合の取っ手部が、単なる小円形の操作穴２６により構成されており、しかも、同小円形の操作穴２６が開放側の端部２１ａではなく、当該第１の扉２１の中央部よりも下部に位置して形成されている。したがって、同小円形の操作穴２６が扉を開閉する場合の取っ手部としての操作穴には見えず、デザイン上の構成部（アクセント）にしか見えない。この点でも、第１の扉２１をより扉と感じさせない構成のものとなっている。
【００４２】
したがって、より上述した作用効果が生じやすいとともに、同第１の納骨壇部分が本来頻繁に開け閉めする場所ではないことを示す静謐性のある構成となっている。
【００４３】
これらの結果、以上の構成では、通常の佛壇の場合と同様に祭壇自体の祭壇としての独立した高級感、存在感を実現しながらも、それと同等に納骨壇の納骨壇としての静謐さ、存在感を実現することができており、祭壇機能と納骨壇機能が両立、調和した、これまでにない新しいタイプの台付き型仏壇を実現することができる。
【００４４】
また、上記のように第１の扉２１が１枚板構造で片開きの場合、両開きの場合に比べて、１回の操作で開閉することができるし、第１の扉２１の取り付け構造もシンプルになる。また、納骨室開口時における間口も広くすることができる（図９参照）。
【００４５】
次に引き出し部は、上記第２の隔壁９と上記底板３との間の両側に上部側第２の隔壁９に係る荷重を支えると共に引き出し１２の左右方向の幅を狭くするための板厚の厚い左右両側板１３，１３を設け、その間に位置して、上部側に膳引１１、下部側に引き出し１２を前後方向に挿脱可能に収納して構成されている。
【００４６】
膳引１１と引き出し１２は、上下に重なる状態で設けられており、その重合部中央には、膳引１１側および引き出し１２側各々に半円上に刳り抜かれた膳引１１引き出し操作用の半円孔１９ａと引き出し操作用の半円孔１９ｂよりなる円形の操作穴１９が設けられている。この円形の操作穴１９も、上記第１の納骨壇部の第１の扉２１の操作穴２６と同様に、前面側に開口した指先を挿入するのに十分な直径の第１の孔と、その内側の板厚内において当該第１の孔の直径よりも大きく、かつ深く形成された第２の孔とから形成されており（符号省略）、第１の孔から第２の穴に指を挿入し、指先を第２の穴に係合することにより、シンプルな構造でありながらも、膳引１１または引き出し１２をそれぞれ容易に挿脱操作することができるようにしている。
【００４７】
上記板厚の厚い左右両側板１３，１３は、その存在（板厚寸法）により上記引き出し１２の左右幅を小さくしているが、それは仏壇本体１側の観音開き構造の扉６，６との関係で、引き出し１２を開けやすくするためである。また、この左右両側板１３，１３の内側面には、引き出し１２の左右両外側面に設けられているスライド用の凹溝部に係合する凸状の桟部材が設けられている。そして、それによって引き出し１２が前後方向に挿脱自在となっている。
【００４８】
上記膳引１１および引き出し１２を備えた引き出し部も、全体として上部側の上記第２の隔壁９及び下部側の底板３相互に一体感を持って連続する構成、デザインとなっており、上述した祭壇部および第１の納骨壇部を支持する安定した下台部を構成している。
【００４９】
そして、この状態で、上記上置構造の仏壇１Ａ全体の前面側開口部には、左右各２枚の戸板６ａ，６ｂ，６ａ，６ｂよりなる、図１および図８のような、第１の観音開き構造の扉６，６が折り畳み開閉可能に取り付けられ、上述した祭壇部、第１の納骨壇部、引き出し部の３つの部分の前面部を開閉可能な状態で覆うようになっている（図１〜図３参照）。
【００５０】
この第１の観音開き構造の扉６，６は、上述のように、それぞれ左右外端側の戸板６ａ，６ａが蝶番７，７、７，７を介して、仏壇本体１の左右両側板４，４の内側に回動可能に取り付けられている。そして、同左右両扉６，６の中央部（合わせ部）には、その径は大きいが上述した引き出し部の操作穴１９（１９ａ，１９ｂ）と同様の開閉操作用の操作穴６１（６１ａ，６１ｂ）が設けられている。なお、同操作穴６１の下方にも径の小さい同様の穴が２つ設けられているが、これらは例えばデザイン上のものである。
【００５１】
一方、仏壇台１Ｂは、例えば図１、図２、図１１に示すように、天板３１、底板３２、側板３４，３４、背板３５によって、その前面側が開放した基本となる仏壇台筐体を構成しており、その内部を上記同様の納骨室に形成している。すなわち、この仏壇台１Ｂの仏壇台筐体部分は、上記上置構造の仏壇１Ａの第１の納骨壇部と同様の第２の納骨壇部として構成されている。この仏壇台筐体の縦横、奥行き寸法は、上記上置構造の仏壇１Ａの縦横、奥行き寸法に対応しており、当該仏壇台１Ｂの上部に上記上置構造の仏壇１Ａを載置したときに全体が上下に一体に連続し、１本の仏壇に見えるように構成されている（例えば図１、図２、図５を参照）。そして、同仏壇台筐体の前面側左右には、それぞれ蝶番（符号省略）を介して相対回動自在に連結された一対の戸板８０ａ，８０ｂ、８０ａ，８０ｂよりなる第２の観音開き構造の扉８０，８０が開閉可能に取り付けられている。この第２の観音開き構造の扉８０，８０は、それぞれ蝶番７，７，７、７，７，７を介して両側の戸板８０ａ，８０ａの外端部分を上記側板３４，３４の内面部分に取り付けている。この第２の観音開き構造の扉８０，８０も、それぞれ前記図３の仮想線に示す第１の観音開き構造の扉６，６と同様に任意に開閉され、また同開放状態において２枚に折り畳まれ、仏壇台筐体の前面側を開放状態に維持する。そして、この第２の観音開き構造の扉８０，８０の中央部（合わせ部）には、やはり上述した第１の観音開き構造の扉６，６の操作穴６１（６１ａ，６１ｂ）と同様の開閉操作用の操作穴７１（７１ａ，７１ｂ）が設けられている。そして、それにより同様にして開閉される。
【００５２】
なお、この仏壇台１Ｂ部分の上記底板３２は、上記左右の側板３４，３４の下端より少し上方に位置して設けられており、その下面側前後両端には、所定上下幅の前板３３、後板３３が設けられている（図４参照）。
【００５３】
上記第２の納骨壇部を構成する仏壇台筐体前面側開口部の一側（正面右側）には、例えば図１１に示すように、前記第１の納骨壇部と同様に第２の扉６１オフセット（インセット）用の支柱６８を設け、同支柱６８の内側に蝶番６２，６２を介して、左側から右側に開く片開き構造の第２の扉（一枚板構造の扉）６１を設けて構成されている。そして、その内側の若干横に長い直方体形状の空間を例えば骨壷２０Ｂを収納することができる納骨室に形成して構成されている。
【００５４】
上記一枚板構造の第２の扉６１は、例えば図１１に示すように、背面側はフラットであるが、前面側は左右両側から中央部にかけて前方に突出した所定の曲率の緩やかな円弧面に形成されている。そして、それにより立体感を出し、また外観的に納骨室内をより広く感じさせるようにしている。そして、この第２の扉６１にも上記第１の納骨壇部の第１の扉２１の操作穴２６と同様の構成および作用の操作穴６６が設けられており、同様の操作によりスムーズに開閉操作される。
【００５５】
さらに、同第２の納骨壇部の前面側開口部の他側（正面左側）には、右側のものと略同様の支柱６８が設けられている。この支柱６８には、例えば図１１に示すように、その内側に、上記扉６１を閉じた時に上記扉６１の開放側端部（左側端部）６１aを嵌合係止する断面鉤状の戸当たり用段部（図１０の構成と同様なので符号は省略）が形成されており、同段部の上下方向中間部には、上記第２の扉６１の開放側端部６１aを吸着固定するためのマグネット６３ｂが埋設されている。上記第２の扉６１の開放側端部６１aの上下方向中間部には、同マグネット６３ｂに対応するマグネット６３ａが埋設されている。これら相互に対向するマグネット６３ａ,６３ｂにも、前術の場合と同様に例えばネオジム磁石が採用されている。
【００５６】
このように、同構成では、当該第２の納骨壇部の左側部分にも右側の支柱６８と同様の支柱６８を設けており、しかも、それぞれその前面側露出面の幅は、略同一のものとしている。したがって、当該納骨壇部分を正面から見た場合に、例えば図２に示すように、当該納骨壇部分（第２の扉６１の両側部分）の正面構造が左右対称の構造となり、安定感を抱かせる落ち着いたデザインのものとなる。また、上記左右の支柱６８,６８の前面部分は、それぞれ扉６１の円弧面の傾斜角に沿って連続する傾斜面としており、扉６１の前面と一体に連続する円弧面を形成している。したがって、納骨壇部分に左側から右に開閉可能な第２の扉６１があることを感じさせない構成となり、当該納骨壇部分がいわゆる納骨室には見えないようになる。
【００５７】
さらに、上記一枚板構造の第２の扉６１は、上記のように、正面右側の端部上下を蝶番６２，６２を介して仏壇台筐体の右側の側板３４前端部の内側に設けた所定幅の支柱６８の内側（左側面）に回動可能に取り付けており、それにより（支柱６８による所定幅のオフセット寸法により）、上記仏壇台筐体の左右両側板３４，３４の内側に蝶番７０，７０を介して取り付けられた前面部右側の第２の観音開き構造の扉８０（開状態）に干渉することなく、左側から右側に十分に広く開かれ（図１１を参照）、また右側から左側にスムーズに閉じられるようになる。そして、その閉状態は、上記マグネット６３ａ，６３ｂ相互の開閉操作可能な所定の強さの吸着力により維持される。
【００５８】
そして、この一枚板構造の第２の扉６１の前面側、例えば正面左側の上部には、戒名札取り付け部が設けられていて、同戒名札取り付け部には、戒名札取り付け用の上下一対のマグネットが外部からは見えないように埋設されている（これらの構成は、上記第１の納骨壇部分の図１０の構成と全く同様であることから特に図示をしていない）。そして、それにより、例えば図２に示すように、上述した第１の納骨壇部の場合と同様に戒名札２５が着脱可能に取り付けられるようになっている。戒名札２５の構成も、上述した図１３および図１４のものと同一のものである。これにより、上記第１の納骨壇部と全く同様の構成を有し、同様の作用を果たす第２の納骨壇部が仏壇台１Ｂ部分に形成されることになり、この実施の形態の場合、全体として、例えば図２に示すように、上方から下方に祭壇部、第１の納骨壇部、引き出し部、第２の納骨壇部が整然と並んだスリムな台付き型の仏壇が実現される。そして、第１、第２の納骨壇部は、引き出し部を挟んで上下に配置されているから、高さ方向の必要寸法を自由に拡大することができ、上下寸法の大きい骨壺や骨箱を収納するのも容易になる。また、本体部分の横幅を大きくしなくて済むので、全体としてスリムな構造となり、設置場所の制約も少ない。したがって、小型、コンパクトな家具調の現代型仏壇に適している。さらに、第１、第２の２組の納骨壇部は、仏壇設置状態では引き出し部を挟んで上下に積層されるが、それぞれ上置構造の仏壇１Ａ側と仏壇台１Ｂ側に分けて設けられており、上置構造の仏壇１Ａ側に一つ、仏壇台１Ｂ側に一つ作れば良いので、製作自体も容易である。
【００５９】
以上の結果、この実施の形態の台付き型の仏壇では、通常の仏壇の場合と同様に祭壇自体の祭壇としての独立した高級感、存在感を実現しながらも、それと同等に納骨壇の納骨壇としての静謐さ、厳粛さ、存在感を実現することができ、祭壇機能と納骨壇機能が両立、調和し、仏間や和室のない部屋にも違和感なく溶け込みながら、仏壇台を備えた格式のある祈りの空間、暖かい祈りの空間を実現することができる、これまでにない新しいタイプの台付き型の仏壇を提供することが可能となる。したがって、同仏壇があれば、これまでのように寺院や墓に納骨することなく、自宅で納骨壇部分に遺骨を保管し、日々永代的に供養することができるようになる。その結果、従来のような墓が不要となり、また永代供養に必要な経費も節約することができる。そして、遺族に対して、亡くなった後も故人と何時も一緒に居られるという安心感、暖かさを与えることができる。
【００６０】
また、納骨壇は、上下に第１、第２と２段に分けて設けられており、両親など２名の納骨、自宅供養が可能となっているが、故人が１名の場合には、いずれか一方の納骨壇を遺品等の収納部として使用することもできる。
【００６１】
また、各納骨壇部には、祭壇部の位牌とは別に戒名札を取り付けることができるので、ある種家庭内のお墓としての機能も実現することができる。
【００６２】
なお、以上の実施の形態では、納骨壇部分の扉として、片開き構造の扉構造を採用したが、これは、例えば中央部から左右両方に開く、両開き構造の扉に変更することも可能である。
【００６３】
また、上述の説明では、上記第１の納骨壇部に骨箱２０Ａ、第２の納骨壇部に骨壷２０Ｂを収納するように説明したが、これは何ら限定されるものではなく逆であっても良いことは言うまでもない。
【符号の説明】
【００６４】
１は台付きの仏壇、１Ａは仏壇、１Ｂは仏壇台、２ａは天板、３は底板、４は側板、５は背板、６は第１の観音開き構造の扉、２１は第１の納骨壇部の扉、８０は第２の観音開き構造の扉、６１は第２の納骨壇部の扉である。
【図１】
0003226722.tif 000003
【図２】
0003226722.tif 000004
【図３】
0003226722.tif 000005
【図４】
0003226722.tif 000006
【図５】
0003226722.tif 000007
【図６】
0003226722.tif 000008
【図７】
0003226722.tif 000009
【図８】
0003226722.tif 000010
【図９】
0003226722.tif 000011
【図１０】
0003226722.tif 000012
【図１１】
0003226722.tif 000013
【図１２】
0003226722.tif 000014
【図１３】
0003226722.tif 000015
【図１４】
0003226722.tif 000016